(57)【要約】      （修正有）【課題】容易に持ち運ぶことができて、手間がかからず手の届き難い背中の患部に一人で貼り薬を貼り付けることができる貼り薬貼付補助具を提供する。【解決手段】貼り薬貼付補助具１０は、貼り薬２０のフェルト材の他面が押し付けられた状態で貼り薬２０を着脱自在に保持可能な貼り薬保持面１４を有する。貼り薬貼付補助具１０は、被固定物に固定可能に構成されている。貼り薬保持面１４に貼り薬２０が保持された状態で、当該貼り薬２０より外側に張り出す部位１６を有し、この部位１６は少なくとも手指にて保持可能な寸法を有する。【選択図】図１
0003171012.tif 000002
【実用新案登録請求の範囲】
【請求項１】
フェルト材の一面に設けられた薬剤と、該薬剤の表面に貼り付けられた剥離シートから成る貼り薬を身体に貼り付けるための貼付補助具であって、
前記フェルト材の他面が押し付けられた状態で前記貼り薬を着脱自在に保持可能な貼り薬保持面を有し、被固定物に固定可能とされていることを特徴とする貼り薬貼付補助具。
【請求項２】
前記貼り薬保持面に前記貼り薬が保持された状態で、当該貼り薬より外側に張り出す部位を有し、該部位は少なくとも手指にて保持可能な寸法を有することを特徴とする請求項１に記載の貼り薬貼付補助具。
【請求項３】
前記貼り薬のフェルト材他面の起毛が絡む多孔質材料、若しくは、繊維質材料にて構成されていることを特徴とする請求項１又は請求項２に記載の貼り薬貼付補助具。
【請求項４】
軟質ウレタンフォームにて構成されていることを特徴とする請求項１乃至請求項３のうちの何れかに記載の貼り薬貼付補助具。
【請求項５】
前記貼り薬保持面とは反対側の面に、前記被固定物としての磁性体に吸着する磁石を備えたことを特徴とする請求項１乃至請求項４のうちの何れかに記載の貼り薬貼付補助具。
【請求項６】
前記被固定物としての椅子の背に巻き付け可能とされていることを特徴とする請求項１乃至請求項４のうちの何れかに記載の貼り薬補助具。
【考案の詳細な説明】
【技術分野】
【０００１】
本考案は、貼り薬を自分の身体に容易に貼るための貼付補助具に関するもので、特に他人の手を借りずに身体の所望部分に貼り薬を貼り付けるための貼り薬貼付補助具に関するものである。
【背景技術】
【０００２】
従来より湿布薬等の貼り薬を自分自身で自分の腰や背中等の患部に貼り付ける場合、貼り薬の貼り面の剥離シートを剥がした後、貼り薬を手で掴んで慎重に患部に貼るようにしていた。しかし、把持している部分で貼り薬の薬剤が手に貼り付いてしまい、患部に貼るときに貼り薬がよじれたり、端縁部が折れ曲がった状態で貼り付けられてしまうことがあった。また、手が届き難い背中などの患部に貼り薬を貼るときには、患部からずれた位置に貼り付けられてしまうこともあった。
【０００３】
そのため、特に手の届き難い背中などの患部に貼り薬を貼るときは、人の手を借りて貼り付けているのが実状であった。しかし、周囲に人がいない場合は、人の手を借りることができないので、一人で貼り付けなければならず、前述のように手が届き難い箇所の患部に一人で貼ることは難しい。そのため、一人では貼り付け難い箇所へでも貼り薬の貼り付けを、人の手を借りずに手の届き難い背中などの患部に一人でも簡単に貼り付けることができる貼り薬貼付補助具の開発が望まれていた。
【０００４】
そこで、人手を借りずに背中や腰等の手が届き難い患部に貼り薬を一人で貼り付けることができるものとして種々のものが提案されている。例えば、背中側に吸引ヘッドを胸側に操作部を備え、中間部を屈曲して内部に連通孔を有する支持フレームを設け、胸側のスイッチを押すことによりファンが廻りその吸引力で、湿布等の貼り薬を吸引固定するものがある。これを使用する場合は、剥離シートが剥がされた貼り薬を吸引ヘッドに吸引して、容易に手が届き難い身体の一部に押し付けながらスイッチを切ることにより身体に貼着させることになるが、ファンやモータを使用しているためコストアップしてしまうと共に重量も重く、汎用性に欠けていた。また、ローラに湿布等の貼り薬を巻き付け、ローラを転がして貼るものもあるが、ローラに貼り薬を巻き付けるのが困難であり、使い勝手が悪かった。
【０００５】
また、上記問題点を対策したものとして、貼り薬の粘着面を表にして、当該貼り薬の一辺を挟み板の爪と押え板の間に挟み、貼り薬にしわがよらないようにしながら操作部を持って支持アームを肩から徐々に背中に当接させる。そして、挟み板の突起の接触感で最終的な貼り薬の貼り位置が決まったら、支持アームを操作して、突起を支点にして押え板の貼り薬を背中に圧着して貼り付ける。これにより、一人では手の届き難い身体の所望部分に貼り薬を貼り付けていた（特許文献１参照）。
【特許文献１】特開２００１−１２９０９８
【考案の開示】
【考案が解決しようとする課題】
【０００６】
しかしながら、前者の装置はファンの吸引力で湿布等の貼り薬を吸引ヘッドに吸引固定し、手が届き難い身体の一部に押し付けながらスイッチを切って貼り薬を患部に貼着させていた。この装置はファンやモータを使用しているため取り扱いが困難で重量も重く、かさばってバッグに入れ難く持ち運びが困難であるという問題があった。
【０００７】
また、後者の装置は、貼り薬の一辺を挟み板の爪と押え板の間に挟み、操作部を持って支持アームを肩から徐々に背中に当接させることにより、一人では手の届き難い背中の患部に貼り薬を貼り付けていた。このため、貼り薬を挟み板に挟む手間がかかり、また、強度を有する支持アームを使用してるため、かさばってバッグに入れ難く持ち運びが困難であるという問題があった。
【０００８】
本考案は、係る従来技術の課題を解決するために成されたものであり、容易に持ち運ぶことができて、手間がかからず手の届き難い背中の患部に一人で貼り薬を貼り付けることができる貼り薬貼付補助具を提供することを目的とする。
【課題を解決するための手段】
【０００９】
即ち、本考案の貼り薬貼付補助具は、フェルト材の一面に設けられた薬剤と、該薬剤の表面に貼り付けられた剥離シートから成る貼り薬を身体に貼り付けるためのものであって、フェルト材の他面が押し付けられた状態で貼り薬を着脱自在に保持可能な貼り薬保持面を有し、被固定物に固定可能とされていることを特徴とする。
【００１０】
また、請求項２の貼り薬貼付補助具は、上記において、貼り薬保持面に貼り薬が保持された状態で、当該貼り薬より外側に張り出す部位を有し、該部位は少なくとも手指にて保持可能な寸法を有することを特徴とする。
【００１１】
また、請求項３の貼り薬貼付補助具は、請求項１又は請求項２の何れかにおいて、貼り薬のフェルト材他面の起毛が絡む多孔質材料、若しくは、繊維質材料にて構成されていることを特徴とする。
【００１２】
また、請求項４の貼り薬貼付補助具は、請求項１乃至請求項３のうちの何れかにおいて、軟質ウレタンフォームにて構成されていることを特徴とする。
【００１３】
また、請求項５の貼り薬貼付補助具は、請求項１乃至請求項４のうちの何れかにおいて、貼り薬保持面とは反対側の面に、被固定物としての磁性体に吸着する磁石を備えたことを特徴とする。
【００１４】
また、請求項６の貼り薬貼付補助具は、請求項１乃至請求項４のうちの何れかにおいて、被固定物としての椅子の背に巻き付け可能とされていることを特徴とする。
【考案の効果】
【００１５】
本考案によれば、貼り薬貼付補助具は、フェルト材の一面に設けられた薬剤と、該薬剤の表面に貼り付けられた剥離シートから成る貼り薬を身体に貼り付けるためのものであって、フェルト材の他面が押し付けられた状態で貼り薬を着脱自在に保持可能な貼り薬保持面を有し、被固定物に固定可能とされているので、例えば貼り薬を構成するフェルト材を貼り薬貼付補助具に押し付けて保持し、薬剤表面の剥離シートが剥がされた状態で背中の手指の届かない患部に対応する、被固定物の任意の位置に貼り薬貼付補助具を固定した後、薬剤部分に背中の患部を押し付ければ、身体の所望部分に、貼り薬を貼り付けることができる。これにより、貼り薬を一人では手指の届き難い背中の、任意の位置に貼り付けることが可能となる。また、貼り薬貼付補助具は、貼り薬を着脱自在に保持可能な貼り薬保持面を有し、被固定物に固定可能とされているだけなので、貼り薬貼付補助具を容易に持ち運ぶことができる。従って、貼り薬貼付補助具の利便性を大幅に向上させることができるようになるものである。
【００１６】
また、請求項２の考案によれば、貼り薬貼付補助具は、貼り薬保持面に貼り薬が保持された状態で、当該貼り薬より外側に張り出す部位を有し、該部位は少なくとも手指にて保持可能な寸法を有するので、例えば、貼り薬貼付補助具の部位を手指で持てば、薬剤表面の剥離シートが剥がされた状態でも薬剤面が手指に貼り付くことがない。これにより、貼り薬の薬剤面が手指に貼り付くことなく、背中の手指の届かない患部に対応する被固定物の、任意の位置に貼り薬貼付補助具を固定することができる。従って、貼り薬貼付補助具の使い勝手を極めて向上させることができるようになるものである。
【００１７】
また、請求項３の考案によれば、貼り薬貼付補助具は、貼り薬のフェルト材他面の起毛が絡む多孔質材料、若しくは、繊維質材料にて構成されているので、例えば、多孔質材料を請求項４の考案の如く軟質ウレタンフォームにて構成すれば、貼り薬のフェルト材を軟質ウレタンフォームに押し付けるだけで、貼り薬を軟質ウレタンフォームに着脱自在に保持させることができる。また、貼り薬貼付補助具を軟質ウレタンフォームにて構成することで、貼り薬を凹凸のある身体に密着して貼り付けることができる。
【００１８】
また、請求項５の考案の如く、貼り薬保持面とは反対側の面に、被固定物としての磁性体に吸着する磁石を設ければ、軟質ウレタンフォームを磁性体表面に設けられた鉄板に吸着固定させることが可能となる。これにより、薬剤表面の剥離シートを剥がした状態で背中の手指の届かない患部に対応する磁性体表面の、任意の位置に軟質ウレタンフォームを固定した後、薬剤部分に背中の患部を押し付けるだけで身体の所望部分に、貼り薬を貼り付けることができる。これにより、貼り薬を一人では手指の届き難い背中の、任意の位置に貼り付けることが可能となり、貼り薬貼付補助具の利便性を極めて向上させることができる。
【００１９】
また、請求項６の考案の如く、貼り薬貼付補助具は、被固定物としての椅子の背に巻き付け可能とすれば、例えば、旅行先や外出先などに椅子があれば貼り薬貼付補助具を椅子の背に巻き付けることができる。これにより、椅子の背の、上下方向任意の位置に貼り薬貼付補助具を巻き付けて固定し、背中の患部に対応する所に貼り薬を保持した後、椅子に腰掛ければ、一人では手指の届き難い身体の所望部分に、貼り薬を一人で貼ることが可能となる。また、貼り薬貼付補助具は、椅子の背に巻き付け可能に構成されているので、折り畳んでバッグに入れることができる。これにより、貼り薬貼付補助具を容易に持ち運ぶことができる。従って、貼り薬貼付補助具を持ち運んで、旅行先や外出先などで設置されている椅子の背に巻き付けて固定し、背中の患部に対応する所に軟質ウレタンフォームを固定した後、椅子に腰掛ければ、背中の手指の届かない任意の患部に貼り薬を貼り付けることができるので、貼り薬貼付補助具の利便性を更に向上させることができるようになるものである。
【図面の簡単な説明】
【００２０】
【図１】本考案の一実施例を示す貼り薬貼付補助具（貼り薬を含む）の正面図である（実施例１）。
【図２】同図１の貼り薬貼付補助具（貼り薬を含む）の側面図である。
【図３】本考案の貼り薬貼付補助具（貼り薬を含む）の拡大側面図（要部拡大図）である。
【図４】本考案の一実施例を示す貼り薬貼付補助具（貼り薬を含む）の斜視図である（実施例２）。
【図５】同図１の貼り薬貼付補助具（貼り薬を含む）の正面図である。
【考案を実施するための最良の形態】
【００２１】
本考案は、貼り薬を身体の手指が届き難い患部に一人で簡単に貼り付けられることを主な特徴とする。身体の手指が届き難い患部に貼り薬を一人で貼り付けられるという目的を、被固定物に固定可能、且つ、貼り薬を押し付けるだけで保持可能な貼り薬貼付補助具を設けただけの簡単な構成で実現した。
【実施例１】
【００２２】
次に、図面に基づき本考案の実施の形態を詳述する。図１は本考案の一実施例を示す貼り薬貼付補助具１０の正面図、図２は同図１の貼り薬貼付補助具１０の側面図、図３は本考案の貼り薬貼付補助具１０の拡大側面図をそれぞれ示している。
【００２３】
本実施形態における貼り薬貼付補助具１０は、図１、図２に示すように軟質ウレタンフォーム１２と永久磁石１８（本考案の磁石に相当）にて構成されており、軟質ウレタンフォーム１２は、貼り薬２０よりも大きな、縦約１２０ｍｍ、横約１６５ｍｍ、厚さ約８ｍｍに形成されている。また、貼り薬貼付補助具１０は、貼り薬２０のフェルト材２２（薬剤２４が塗布されるベース材）に設けられた薬剤２４他面の起毛が着脱自在に保持可能に絡む多孔質材料、若しくは、繊維質材料にて構成されている。
【００２４】
詳しくは、多孔質材料としては、貼り薬２０のフェルト材２２の面が押し付けられて圧接された状態で、一面側に貼り薬２０を着脱自在に保持可能な貼り薬保持面１４を有する軟質ウレタンフォーム１２が挙げられる。実験結果から軟質ウレタンフォーム１２（貼り薬貼付補助具１０）に、貼り薬２０のフェルト材２２が押し付けられると、貼り薬２０が軟質ウレタンフォーム１２に保持される。この場合、軟質ウレタンフォーム１２に貼り薬２０のフェルト材２２が押し付けられると、フェルト材２２の起毛が多孔質の軟質ウレタンフォーム１２表面の微細な孔、若しくは、凹みに絡んで着脱自在に保持されるものと考えられる。尚、軟質ウレタンフォーム１２が弾性力（伸縮性や反発力など）があるのは既に周知であり詳細な説明を省略する。
【００２５】
ここで、貼り薬２０は図３に示すように、フェルト材２２と薬剤２４と剥離シート２６とから構成されており、フェルト材２２の一面側に薬剤２４が塗布され、この薬剤２４の表面に剥離可能な剥離シート２６が貼り付けられている。即ち、貼り薬２０は、一般的な冷湿布薬或いは温湿布薬などの湿布薬で、基剤となるフェルト材２２の一面側に所定厚さで薬剤２４が塗布され、その表面に剥離シート２６が貼り付けられている。この貼り薬２０は、一般に市販されている湿布薬として、例えば帝國製薬株式会社のサリスターパップＩＤ（商品名）が用いられる。そして、貼り薬２０のフェルト材２２が貼り薬貼付補助具１０に保持される。
【００２６】
そして、軟質ウレタンフォーム１２を略平面状態にした状態で、軟質ウレタンフォーム１２と貼り薬２０のフェルト材２２が保持された面を重力に対して垂直にした場合でも、貼り薬２０は落下せず、更に貼り薬２０を軟質ウレタンフォーム１２の重力に対して下面にしても落下することはなかった。しかし、軟質ウレタンフォーム１２から手で貼り薬２０を離間させるだけで、簡単に剥離できた。このことから、貼り薬２０が貼り薬貼付補助具１０に着脱自在に保持されることが判明された。
【００２７】
一方、貼り薬貼付補助具１０は、貼り薬保持面１４の反対側の面に被固定物として図示しない冷蔵庫（本考案の磁性体に相当）に吸着する前記永久磁石１８を備えている。この永久磁石１８は、縦約１１ｍｍ、横約１５ｍｍ、厚さ約２ｍｍのゴム系の永久磁石１８にて構成されている。永久磁石１８は、両面粘着テープ、或いは、ボンドなどの接着剤にて貼り薬貼付補助具１０に固定されている。
【００２８】
また、永久磁石１８は貼り薬貼付補助具１０の略４隅に設けられると共に、各永久磁石１８はそれぞれ貼り薬貼付補助具１０の周囲より約８ｍｍ内側に設けられている。これによって、貼り薬２０に触れることなく貼り薬貼付補助具１０を手で持つことができるように構成されている。尚、永久磁石１８は冷蔵庫より容易に剥がすことができれば、ゴム系永久磁石１８に限られるものでない。また、貼り薬貼付補助具１０の４隅に４個の永久磁石１８を設けたが、永久磁石１８は貼り薬貼付補助具１０の４隅に限られず、貼り薬貼付補助具１０を安定して冷蔵庫に吸着させることができれば、それより多くても少なくても差し支えない。
【００２９】
また、貼り薬貼付補助具１０は、貼り薬保持面１４に貼り薬２０が保持された状態で、貼り薬２０の囲外側に張り出す部位１６を有している。この部位１６は少なくとも手指にて保持可能な寸法を有している。詳しくは、貼り薬貼付補助具１０に貼り薬２０が保持された状態で、貼り薬２０の囲外側に約５ｍｍ〜２０ｍｍの貼り薬２０がない部分（部位１６）を備えている。この部位１６を手指にて持つことにより、手指は貼り薬２０の薬剤２４に触れないので、手指が貼り薬２０の薬剤２４に貼り付いてしまうのを防止することができる。
【００３０】
このように、貼り薬貼付補助具１０は、フェルト材２２の他面が押し付けられた状態で貼り薬２０を着脱自在に保持可能な貼り薬保持面１４を有し、被固定物に固定可能とされているので、貼り薬２０のフェルト材２２を貼り薬貼付補助具１０の軟質ウレタンフォーム１２に押し付けて保持し、薬剤２４表面の剥離シート２６が剥がされた状態で背中の手指の届かない患部に対応する被固定物の、任意の位置に貼り薬貼付補助具１０の軟質ウレタンフォーム１２を固定した後、薬剤２４部分に背中の患部を押し付ければ、身体の所望部分に、貼り薬２０を貼り付けることができる。これにより、貼り薬２０を一人では手指の届き難い背中の、任意の位置に貼り付けることが可能となり、貼り薬貼付補助具１０の利便性を大幅に向上させることができる。
【００３１】
また、貼り薬貼付補助具１０は、貼り薬保持面１４に貼り薬２０が保持された状態で、当該貼り薬２０より外側に張り出す部位１６を有し、この部位１６は少なくとも手指にて保持可能な寸法を有するので、貼り薬貼付補助具１０の部位１６を手指にて持てば、薬剤２４表面の剥離シート２６が剥がされた状態でも薬剤２４面が手指に貼り付くことがない。これにより、貼り薬２０の薬剤２４面が手指に貼り付くことなく、背中の手指の届かない患部に対応する被固定物の、任意の位置に貼り薬貼付補助具１０を固定することができる。
【００３２】
また、貼り薬貼付補助具１０は、貼り薬２０のフェルト材２２他面の起毛が絡む多孔質材料にて構成されているので、多孔質材料を軟質ウレタンフォーム１２にて構成すれば、貼り薬２０のフェルト材２２を軟質ウレタンフォーム１２に押し付けるだけで、貼り薬２０を軟質ウレタンフォーム１２に保持させることができる。また、貼り薬貼付補助具１０を軟質ウレタンフォーム１２にて構成することで、当該軟質ウレタンフォーム１２の弾性力で貼り薬２０を凹凸のある身体に密着して貼り付けることができる。
【００３３】
また、貼り薬保持面１４とは反対側の面に、被固定物としての冷蔵庫に吸着する永久磁石１８を設けているので、軟質ウレタンフォーム１２を冷蔵庫表面に設けられた鉄板に吸着固定させることが可能となる。これにより、薬剤２４表面の剥離シート２６を剥がした状態で背中の手指の届かない患部に対応する冷蔵庫表面の、任意の位置に軟質ウレタンフォーム１２を固定した後、薬剤２４部分に背中の患部を押し付ければ、身体の所望部分に、貼り薬２０を貼り付けることができる。これにより、貼り薬２０を一人では手指の届き難い背中の、任意の位置に貼り付けることができる。
【実施例２】
【００３４】
次に、図４には本考案の他の実施例の貼り薬貼付補助具１０の斜視図を示している。該貼り薬貼付補助具１０は、前述の実施例と形状が異なり永久磁石１８は使用していない、他は略同じ構成を有している。以下、異なる部分について説明する。尚、前述の実施の形態と同じ部分にはこれと同じ符号を付し、説明を省略する。
【００３５】
該貼り薬貼付補助具１０は、被固定物としての椅子の背に巻き付けられることにより保持可能に構成されている。この貼り薬貼付補助具１０は、実施例１同様の軟質ウレタンフォーム１２にて構成され、幅約１２０ｍｍ、折径約３９０ｍｍ、厚さ約３ｍｍの帯状の円筒形に構成されている。該貼り薬貼付補助具１０は、約１５０ｍｍ〜２５０ｍｍの伸張可能で、伸張したときの貼り薬貼付補助具１０の折径は約５４０ｍｍ〜６４０ｍｍになる。尚、貼り薬貼付補助具１０は伸縮させることができるが、椅子の背の大きさによって異なる折径にしても良いのは云うまでもない。
【００３６】
そして、帯状円筒形に形成された貼り薬貼付補助具１０が、図示しない椅子の背（椅子の背もたれに相当）に装着される。詳しくは、円筒形に形成された貼り薬貼付補助具１０が伸張され、その内側に椅子の背が挿入されることにより、椅子の背に貼り薬貼付補助具１０が装着される。そして、貼り薬貼付補助具１０の貼り薬保持面１４の所定位置（貼り薬２０が貼り付けられる、手の届かない背中の位置に対応する椅子の背）に貼り薬２０が押し付けられ、保持される。尚、貼り薬貼付補助具１０の貼り薬保持面１４は、表裏どちらでも差し支えないが、椅子の背に貼り薬貼付補助具１０が装着された状態で、表面が貼り薬保持面１４になる。
【００３７】
このように、貼り薬貼付補助具１０は、被固定物としての椅子の背に巻き付け可能とされているので、貼り薬貼付補助具１０を持ち運ぶことが可能となる。これにより、椅子の背の、任意の位置に貼り薬貼付補助具１０を巻き付けて固定し、背中の患部に対応する所に貼り薬２０を保持した後、椅子に腰掛ければ、一人では手指の届き難い身体の所望部分に、貼り薬２０を一人で貼ることが可能となる。
【００３８】
また、貼り薬貼付補助具１０を持ち運んで、旅行先や外出先などで設置されている椅子の背に巻き付けて固定し、背中の患部に対応する所に軟質ウレタンフォーム１２を固定した後、椅子に腰掛けるだけで、背中の手指の届かない任意の患部に簡単に貼り薬２０を貼り付けることができるので、貼り薬貼付補助具１０の利便性を更に向上させることができる。
【００３９】
尚、上記各実施例では貼り薬貼付補助具１０を軟質ウレタンフォーム１２にて構成したが、それに限らず、例えばソファーに使用されるパイル生地の如き繊維質材料にて貼り薬貼付補助具１０を構成しても良い。その場合にも、貼り薬２０のフェルト材２２を押し付ければ、フェルト材２２の起毛がパイル生地の起毛に絡んで着脱自在に保持されるようになる。
【００４０】
また、実施の形態では、貼り薬貼付補助具１０の形状や寸法を記載したが、貼り薬貼付補助具１０の要旨を逸脱しない範囲内で形状や寸法を変更しても良いのは云うまでもない。勿論本考案は、上記各実施例のみに限定されるものではなく、この考案の趣旨を逸脱しない範囲で他の様々な変更を行っても本考案は有効である。
【符号の説明】
【００４１】
１０  貼り薬貼付補助具
１２  軟質ウレタンフォーム
１４  貼り薬保持面
１６  部位
１８  永久磁石
２０  貼り薬
２２  フェルト材
２４  薬剤
２６  剥離シート
【図１】
0003171012.tif 000003
【図２】
0003171012.tif 000004
【図３】
0003171012.tif 000005
【図４】
0003171012.tif 000006
【図５】
0003171012.tif 000007
【手続補正書】
【提出日】平成23年8月9日(2011.8.9)
【手続補正１】
【補正対象書類名】明細書
【補正対象項目名】全文
【補正方法】変更
【補正の内容】
【考案の詳細な説明】
【技術分野】
【０００１】
本考案は、貼り薬を自分の身体に容易に貼るための貼付補助具に関するもので、特に他人の手を借りずに身体の所望部分に貼り薬を貼り付けるための貼り薬貼付補助具に関するものである。
【背景技術】
【０００２】
従来より湿布薬等の貼り薬を自分自身で自分の腰や背中等の患部に貼り付ける場合、貼り薬の貼り面の剥離シートを剥がした後、貼り薬を手で掴んで慎重に患部に貼るようにしていた。しかし、把持している部分で貼り薬の薬剤が手に貼り付いてしまい、患部に貼るときに貼り薬がよじれたり、端縁部が折れ曲がった状態で貼り付けられてしまうことがあった。また、手が届き難い背中などの患部に貼り薬を貼るときには、患部からずれた位置に貼り付けられてしまうこともあった。
【０００３】
そのため、特に手の届き難い背中などの患部に貼り薬を貼るときは、人の手を借りて貼り付けているのが実状であった。しかし、周囲に人がいない場合は、人の手を借りることができないので、一人で貼り付けなければならず、前述のように手が届き難い箇所の患部に一人で貼ることは難しい。そのため、一人では貼り付け難い箇所へでも貼り薬の貼り付けを、人の手を借りずに手の届き難い背中などの患部に一人でも簡単に貼り付けることができる貼り薬貼付補助具の開発が望まれていた。
【０００４】
そこで、人手を借りずに背中や腰等の手が届き難い患部に貼り薬を一人で貼り付けることができるものとして種々のものが提案されている。例えば、背中側に吸引ヘッドを胸側に操作部を備え、中間部を屈曲して内部に連通孔を有する支持フレームを設け、胸側のスイッチを押すことによりファンが廻りその吸引力で、湿布等の貼り薬を吸引固定するものがある。これを使用する場合は、剥離シートが剥がされた貼り薬を吸引ヘッドに吸引して、容易に手が届き難い身体の一部に押し付けながらスイッチを切ることにより身体に貼着させることになるが、ファンやモータを使用しているためコストアップしてしまうと共に重量も重く、汎用性に欠けていた。また、ローラに湿布等の貼り薬を巻き付け、ローラを転がして貼るものもあるが、ローラに貼り薬を巻き付けるのが困難であり、使い勝手が悪かった。
【０００５】
また、上記問題点を対策したものとして、貼り薬の粘着面を表にして、当該貼り薬の一辺を挟み板の爪と押え板の間に挟み、貼り薬にしわがよらないようにしながら操作部を持って支持アームを肩から徐々に背中に当接させる。そして、挟み板の突起の接触感で最終的な貼り薬の貼り位置が決まったら、支持アームを操作して、突起を支点にして押え板の貼り薬を背中に圧着して貼り付ける。これにより、一人では手の届き難い身体の所望部分に貼り薬を貼り付けていた（特許文献１参照）。
【特許文献１】特開２００１−１２９０９８
【考案の開示】
【考案が解決しようとする課題】
【０００６】
しかしながら、前者の装置はファンの吸引力で湿布等の貼り薬を吸引ヘッドに吸引固定し、手が届き難い身体の一部に押し付けながらスイッチを切って貼り薬を患部に貼着させていた。この装置はファンやモータを使用しているため取り扱いが困難で重量も重く、かさばってバッグに入れ難く持ち運びが困難であるという問題があった。
【０００７】
また、後者の装置は、貼り薬の一辺を挟み板の爪と押え板の間に挟み、操作部を持って支持アームを肩から徐々に背中に当接させることにより、一人では手の届き難い背中の患部に貼り薬を貼り付けていた。このため、貼り薬を挟み板に挟む手間がかかり、また、強度を有する支持アームを使用してるため、かさばってバッグに入れ難く持ち運びが困難であるという問題があった。
【０００８】
本考案は、係る従来技術の課題を解決するために成されたものであり、容易に持ち運ぶことができて、手間がかからず手の届き難い背中の患部に一人で貼り薬を貼り付けることができる貼り薬貼付補助具を提供することを目的とする。
【課題を解決するための手段】
【０００９】
即ち、本考案の貼り薬貼付補助具は、フェルト材の一面に設けられた薬剤と、該薬剤の表面に貼り付けられた剥離シートから成る貼り薬を身体に貼り付けるためのものであって、フェルト材の他面が押し付けられた状態で、当該フェルト材他面の起毛が絡むことにより前記貼り薬を着脱自在に保持可能な多孔質材料、若しくは、繊維質材料にて構成された貼り薬保持面を有し、被固定物に固定可能とされていることを特徴とする。
【００１０】
また、請求項２の貼り薬貼付補助具は、上記において、貼り薬保持面に貼り薬が保持された状態で、当該貼り薬より外側に張り出す部位を有し、該部位は少なくとも手指にて保持可能な寸法を有することを特徴とする。
【００１１】
また、請求項３の貼り薬貼付補助具は、請求項１又は請求項２において、軟質ウレタンフォーム、若しくは、パイル生地にて構成されていることを特徴とする。
【００１２】
また、請求項４の貼り薬貼付補助具は、請求項１乃至請求項３のうちの何れかにおいて、貼り薬保持面とは反対側の面に、被固定物としての磁性体に吸着する磁石を備えたことを特徴とする。
【００１３】
また、請求項５の貼り薬貼付補助具は、請求項１乃至請求項３のうちの何れかにおいて、被固定物としての椅子の背に巻き付け可能とされていることを特徴とする。
【考案の効果】
【００１４】
本考案によれば、貼り薬貼付補助具は、フェルト材の一面に設けられた薬剤と、該薬剤の表面に貼り付けられた剥離シートから成る貼り薬を身体に貼り付けるためのものであって、フェルト材の他面が押し付けられた状態で、当該フェルト材他面の起毛が絡むことにより前記貼り薬を着脱自在に保持可能な多孔質材料、若しくは、繊維質材料にて構成された貼り薬保持面を有し、被固定物に固定可能とされているので、例えば貼り薬を構成するフェルト材を貼り薬貼付補助具に押し付けて保持し、薬剤表面の剥離シートが剥がされた状態で背中の手指の届かない患部に対応する、被固定物の任意の位置に貼り薬貼付補助具を固定した後、薬剤部分に背中の患部を押し付ければ、身体の所望部分に、貼り薬を貼り付けることができる。これにより、貼り薬を一人では手指の届き難い背中の、任意の位置に貼り付けることが可能となる。また、貼り薬貼付補助具は、貼り薬を着脱自在に保持可能な貼り薬保持面を有し、被固定物に固定可能とされているだけなので、貼り薬貼付補助具を容易に持ち運ぶことができる。従って、貼り薬貼付補助具の利便性を大幅に向上させることができるようになるものである。
【００１５】
特に、貼り薬貼付補助具は、貼り薬のフェルト材他面の起毛が絡む多孔質材料、若しくは、繊維質材料にて構成されているので、例えば、多孔質材料を請求項３の考案の如く軟質ウレタンフォームにて構成し、若しくは、繊維質材料を請求項３の考案の如くパイル生地にて構成すれば、貼り薬のフェルト材を軟質ウレタンフォーム、若しくは、パイル生地に押し付けるだけで、貼り薬を軟質ウレタンフォーム、若しくは、パイル生地に着脱自在に保持させることができる。また、貼り薬貼付補助具を軟質ウレタンフォーム、若しくは、パイル生地にて構成することで、貼り薬を凹凸のある身体に密着して貼り付けることができる。
【００１６】
また、請求項２の考案によれば、貼り薬貼付補助具は、貼り薬保持面に貼り薬が保持された状態で、当該貼り薬より外側に張り出す部位を有し、該部位は少なくとも手指にて保持可能な寸法を有するので、例えば、貼り薬貼付補助具の部位を手指で持てば、薬剤表面の剥離シートが剥がされた状態でも薬剤面が手指に貼り付くことがない。これにより、貼り薬の薬剤面が手指に貼り付くことなく、背中の手指の届かない患部に対応する被固定物の、任意の位置に貼り薬貼付補助具を固定することができる。従って、貼り薬貼付補助具の使い勝手を極めて向上させることができるようになるものである。
【００１７】
また、請求項４の考案の如く、貼り薬保持面とは反対側の面に、被固定物としての磁性体に吸着する磁石を設ければ、貼り薬貼付補助具を磁性体表面に設けられた鉄板に吸着固定させることが可能となる。これにより、薬剤表面の剥離シートを剥がした状態で背中の手指の届かない患部に対応する磁性体表面の、任意の位置に貼り薬貼付補助具を固定した後、薬剤部分に背中の患部を押し付けるだけで身体の所望部分に、貼り薬を貼り付けることができる。これにより、貼り薬を一人では手指の届き難い背中の、任意の位置に貼り付けることが可能となり、貼り薬貼付補助具の利便性を極めて向上させることができる。
【００１８】
また、請求項５の考案の如く、貼り薬貼付補助具は、被固定物としての椅子の背に巻き付け可能とすれば、例えば、旅行先や外出先などに椅子があれば貼り薬貼付補助具を椅子の背に巻き付けることができる。これにより、椅子の背の、上下方向任意の位置に貼り薬貼付補助具を巻き付けて固定し、背中の患部に対応する所に貼り薬を保持した後、椅子に腰掛ければ、一人では手指の届き難い身体の所望部分に、貼り薬を一人で貼ることが可能となる。また、貼り薬貼付補助具は、椅子の背に巻き付け可能に構成されているので、折り畳んでバッグに入れることができる。これにより、貼り薬貼付補助具を容易に持ち運ぶことができる。従って、貼り薬貼付補助具を持ち運んで、旅行先や外出先などで設置されている椅子の背に巻き付けて固定し、背中の患部に対応する所に貼り薬貼付補助具を固定した後、椅子に腰掛ければ、背中の手指の届かない任意の患部に貼り薬を貼り付けることができるので、貼り薬貼付補助具の利便性を更に向上させることができるようになるものである。
【図面の簡単な説明】
【００１９】
【図１】本考案の一実施例を示す貼り薬貼付補助具（貼り薬を含む）の正面図である（実施例１）。
【図２】同図１の貼り薬貼付補助具（貼り薬を含む）の側面図である。
【図３】本考案の貼り薬貼付補助具（貼り薬を含む）の拡大側面図（要部拡大図）である。
【図４】本考案の一実施例を示す貼り薬貼付補助具（貼り薬を含む）の斜視図である（実施例２）。
【図５】同図１の貼り薬貼付補助具（貼り薬を含む）の正面図である。
【考案を実施するための最良の形態】
【００２０】
本考案は、貼り薬を身体の手指が届き難い患部に一人で簡単に貼り付けられることを主な特徴とする。身体の手指が届き難い患部に貼り薬を一人で貼り付けられるという目的を、被固定物に固定可能、且つ、貼り薬を押し付けるだけで保持可能な貼り薬貼付補助具を設けただけの簡単な構成で実現した。
【実施例１】
【００２１】
次に、図面に基づき本考案の実施の形態を詳述する。図１は本考案の一実施例を示す貼り薬貼付補助具１０の正面図、図２は同図１の貼り薬貼付補助具１０の側面図、図３は本考案の貼り薬貼付補助具１０の拡大側面図をそれぞれ示している。
【００２２】
本実施形態における貼り薬貼付補助具１０は、図１、図２に示すように軟質ウレタンフォーム１２と永久磁石１８（本考案の磁石に相当）にて構成されており、軟質ウレタンフォーム１２は、貼り薬２０よりも大きな、縦約１２０ｍｍ、横約１６５ｍｍ、厚さ約８ｍｍに形成されている。また、貼り薬貼付補助具１０は、貼り薬２０のフェルト材２２（薬剤２４が塗布されるベース材）に設けられた薬剤２４他面の起毛が着脱自在に保持可能に絡む多孔質材料、若しくは、繊維質材料にて構成されている。
【００２３】
詳しくは、多孔質材料としては、貼り薬２０のフェルト材２２の面が押し付けられて圧接された状態で、一面側に貼り薬２０を着脱自在に保持可能な貼り薬保持面１４を有する軟質ウレタンフォーム１２が挙げられる。実験結果から軟質ウレタンフォーム１２（貼り薬貼付補助具１０）に、貼り薬２０のフェルト材２２が押し付けられると、貼り薬２０が軟質ウレタンフォーム１２に保持される。この場合、軟質ウレタンフォーム１２に貼り薬２０のフェルト材２２が押し付けられると、フェルト材２２の起毛が多孔質の軟質ウレタンフォーム１２表面の微細な孔、若しくは、凹みに絡んで着脱自在に保持されるものと考えられる。尚、軟質ウレタンフォーム１２が弾性力（伸縮性や反発力など）があるのは既に周知であり詳細な説明を省略する。
【００２４】
ここで、貼り薬２０は図３に示すように、フェルト材２２と薬剤２４と剥離シート２６とから構成されており、フェルト材２２の一面側に薬剤２４が塗布され、この薬剤２４の表面に剥離可能な剥離シート２６が貼り付けられている。即ち、貼り薬２０は、一般的な冷湿布薬或いは温湿布薬などの湿布薬で、基剤となるフェルト材２２の一面側に所定厚さで薬剤２４が塗布され、その表面に剥離シート２６が貼り付けられている。この貼り薬２０は、一般に市販されている湿布薬として、例えば帝國製薬株式会社のサリスターパップＩＤ（商品名）が用いられる。そして、貼り薬２０のフェルト材２２が貼り薬貼付補助具１０に保持される。
【００２５】
そして、軟質ウレタンフォーム１２を略平面状態にした状態で、軟質ウレタンフォーム１２と貼り薬２０のフェルト材２２が保持された面を重力に対して垂直にした場合でも、貼り薬２０は落下せず、更に貼り薬２０を軟質ウレタンフォーム１２の重力に対して下面にしても落下することはなかった。しかし、軟質ウレタンフォーム１２から手で貼り薬２０を離間させるだけで、簡単に剥離できた。このことから、貼り薬２０が貼り薬貼付補助具１０に着脱自在に保持されることが判明された。
【００２６】
一方、貼り薬貼付補助具１０は、貼り薬保持面１４の反対側の面に被固定物として図示しない冷蔵庫（本考案の磁性体に相当）に吸着する前記永久磁石１８を備えている。この永久磁石１８は、縦約１１ｍｍ、横約１５ｍｍ、厚さ約２ｍｍのゴム系の永久磁石１８にて構成されている。永久磁石１８は、両面粘着テープ、或いは、ボンドなどの接着剤にて貼り薬貼付補助具１０に固定されている。
【００２７】
また、永久磁石１８は貼り薬貼付補助具１０の略４隅に設けられると共に、各永久磁石１８はそれぞれ貼り薬貼付補助具１０の周囲より約８ｍｍ内側に設けられている。これによって、貼り薬２０に触れることなく貼り薬貼付補助具１０を手で持つことができるように構成されている。尚、永久磁石１８は冷蔵庫より容易に剥がすことができれば、ゴム系永久磁石１８に限られるものでない。また、貼り薬貼付補助具１０の４隅に４個の永久磁石１８を設けたが、永久磁石１８は貼り薬貼付補助具１０の４隅に限られず、貼り薬貼付補助具１０を安定して冷蔵庫に吸着させることができれば、それより多くても少なくても差し支えない。
【００２８】
また、貼り薬貼付補助具１０は、貼り薬保持面１４に貼り薬２０が保持された状態で、貼り薬２０の囲外側に張り出す部位１６を有している。この部位１６は少なくとも手指にて保持可能な寸法を有している。詳しくは、貼り薬貼付補助具１０に貼り薬２０が保持された状態で、貼り薬２０の囲外側に約５ｍｍ〜２０ｍｍの貼り薬２０がない部分（部位１６）を備えている。この部位１６を手指にて持つことにより、手指は貼り薬２０の薬剤２４に触れないので、手指が貼り薬２０の薬剤２４に貼り付いてしまうのを防止することができる。
【００２９】
このように、貼り薬貼付補助具１０は、フェルト材２２の他面が押し付けられた状態で貼り薬２０を着脱自在に保持可能な貼り薬保持面１４を有し、被固定物に固定可能とされているので、貼り薬２０のフェルト材２２を貼り薬貼付補助具１０の軟質ウレタンフォーム１２に押し付けて保持し、薬剤２４表面の剥離シート２６が剥がされた状態で背中の手指の届かない患部に対応する被固定物の、任意の位置に貼り薬貼付補助具１０の軟質ウレタンフォーム１２を固定した後、薬剤２４部分に背中の患部を押し付ければ、身体の所望部分に、貼り薬２０を貼り付けることができる。これにより、貼り薬２０を一人では手指の届き難い背中の、任意の位置に貼り付けることが可能となり、貼り薬貼付補助具１０の利便性を大幅に向上させることができる。
【００３０】
また、貼り薬貼付補助具１０は、貼り薬保持面１４に貼り薬２０が保持された状態で、当該貼り薬２０より外側に張り出す部位１６を有し、この部位１６は少なくとも手指にて保持可能な寸法を有するので、貼り薬貼付補助具１０の部位１６を手指にて持てば、薬剤２４表面の剥離シート２６が剥がされた状態でも薬剤２４面が手指に貼り付くことがない。これにより、貼り薬２０の薬剤２４面が手指に貼り付くことなく、背中の手指の届かない患部に対応する被固定物の、任意の位置に貼り薬貼付補助具１０を固定することができる。
【００３１】
また、貼り薬貼付補助具１０は、貼り薬２０のフェルト材２２他面の起毛が絡む多孔質材料にて構成されているので、多孔質材料を軟質ウレタンフォーム１２にて構成すれば、貼り薬２０のフェルト材２２を軟質ウレタンフォーム１２に押し付けるだけで、貼り薬２０を軟質ウレタンフォーム１２に保持させることができる。また、貼り薬貼付補助具１０を軟質ウレタンフォーム１２にて構成することで、当該軟質ウレタンフォーム１２の弾性力で貼り薬２０を凹凸のある身体に密着して貼り付けることができる。
【００３２】
また、貼り薬保持面１４とは反対側の面に、被固定物としての冷蔵庫に吸着する永久磁石１８を設けているので、軟質ウレタンフォーム１２を冷蔵庫表面に設けられた鉄板に吸着固定させることが可能となる。これにより、薬剤２４表面の剥離シート２６を剥がした状態で背中の手指の届かない患部に対応する冷蔵庫表面の、任意の位置に軟質ウレタンフォーム１２を固定した後、薬剤２４部分に背中の患部を押し付ければ、身体の所望部分に、貼り薬２０を貼り付けることができる。これにより、貼り薬２０を一人では手指の届き難い背中の、任意の位置に貼り付けることができる。
【実施例２】
【００３３】
次に、図４には本考案の他の実施例の貼り薬貼付補助具１０の斜視図を示している。該貼り薬貼付補助具１０は、前述の実施例と形状が異なり永久磁石１８は使用していない、他は略同じ構成を有している。以下、異なる部分について説明する。尚、前述の実施の形態と同じ部分にはこれと同じ符号を付し、説明を省略する。
【００３４】
該貼り薬貼付補助具１０は、被固定物としての椅子の背に巻き付けられることにより保持可能に構成されている。この貼り薬貼付補助具１０は、実施例１同様の軟質ウレタンフォーム１２にて構成され、幅約１２０ｍｍ、折径約３９０ｍｍ、厚さ約３ｍｍの帯状の円筒形に構成されている。該貼り薬貼付補助具１０は、約１５０ｍｍ〜２５０ｍｍの伸張可能で、伸張したときの貼り薬貼付補助具１０の折径は約５４０ｍｍ〜６４０ｍｍになる。尚、貼り薬貼付補助具１０は伸縮させることができるが、椅子の背の大きさによって異なる折径にしても良いのは云うまでもない。
【００３５】
そして、帯状円筒形に形成された貼り薬貼付補助具１０が、図示しない椅子の背（椅子の背もたれに相当）に装着される。詳しくは、円筒形に形成された貼り薬貼付補助具１０が伸張され、その内側に椅子の背が挿入されることにより、椅子の背に貼り薬貼付補助具１０が装着される。そして、貼り薬貼付補助具１０の貼り薬保持面１４の所定位置（貼り薬２０が貼り付けられる、手の届かない背中の位置に対応する椅子の背）に貼り薬２０が押し付けられ、保持される。尚、貼り薬貼付補助具１０の貼り薬保持面１４は、表裏どちらでも差し支えないが、椅子の背に貼り薬貼付補助具１０が装着された状態で、表面が貼り薬保持面１４になる。
【００３６】
このように、貼り薬貼付補助具１０は、被固定物としての椅子の背に巻き付け可能とされているので、貼り薬貼付補助具１０を持ち運ぶことが可能となる。これにより、椅子の背の、任意の位置に貼り薬貼付補助具１０を巻き付けて固定し、背中の患部に対応する所に貼り薬２０を保持した後、椅子に腰掛ければ、一人では手指の届き難い身体の所望部分に、貼り薬２０を一人で貼ることが可能となる。
【００３７】
また、貼り薬貼付補助具１０を持ち運んで、旅行先や外出先などで設置されている椅子の背に巻き付けて固定し、背中の患部に対応する所に軟質ウレタンフォーム１２を固定した後、椅子に腰掛けるだけで、背中の手指の届かない任意の患部に簡単に貼り薬２０を貼り付けることができるので、貼り薬貼付補助具１０の利便性を更に向上させることができる。
【００３８】
尚、上記各実施例では貼り薬貼付補助具１０を軟質ウレタンフォーム１２にて構成したが、それに限らず、例えばソファーに使用されるパイル生地の如き繊維質材料にて貼り薬貼付補助具１０を構成しても良い。その場合にも、貼り薬２０のフェルト材２２を押し付ければ、フェルト材２２の起毛がパイル生地の起毛に絡んで着脱自在に保持されるようになる。
【００３９】
また、実施の形態では、貼り薬貼付補助具１０の形状や寸法を記載したが、貼り薬貼付補助具１０の要旨を逸脱しない範囲内で形状や寸法を変更しても良いのは云うまでもない。勿論本考案は、上記各実施例のみに限定されるものではなく、この考案の趣旨を逸脱しない範囲で他の様々な変更を行っても本考案は有効である。
【符号の説明】
【００４０】
１０  貼り薬貼付補助具
１２  軟質ウレタンフォーム
１４  貼り薬保持面
１６  部位
１８  永久磁石
２０  貼り薬
２２  フェルト材
２４  薬剤
２６  剥離シート
【手続補正２】
【補正対象書類名】実用新案登録請求の範囲
【補正対象項目名】全文
【補正方法】変更
【補正の内容】
【実用新案登録請求の範囲】
【請求項１】
フェルト材の一面に設けられた薬剤と、該薬剤の表面に貼り付けられた剥離シートから成る貼り薬を身体に貼り付けるための貼付補助具であって、
前記フェルト材の他面が押し付けられた状態で、当該フェルト材他面の起毛が絡むことにより前記貼り薬を着脱自在に保持可能な多孔質材料、若しくは、繊維質材料にて構成された貼り薬保持面を有し、被固定物に固定可能とされていることを特徴とする貼り薬貼付補助具。
【請求項２】
前記貼り薬保持面に前記貼り薬が保持された状態で、当該貼り薬より外側に張り出す部位を有し、該部位は少なくとも手指にて保持可能な寸法を有することを特徴とする請求項１に記載の貼り薬貼付補助具。
【請求項３】
軟質ウレタンフォーム、若しくは、パイル生地にて構成されていることを特徴とする請求項１又は請求項２に記載の貼り薬貼付補助具。
【請求項４】
前記貼り薬保持面とは反対側の面に、前記被固定物としての磁性体に吸着する磁石を備えたことを特徴とする請求項１乃至請求項３のうちの何れかに記載の貼り薬貼付補助具。
【請求項５】
前記被固定物としての椅子の背に巻き付け可能とされていることを特徴とする請求項１乃至請求項３のうちの何れかに記載の貼り薬貼付補助具。